(57)【要約】【課題】簡易な構成により、原稿カバーの開閉動作を確実に検知することが出来ること。【解決手段】自動原稿送り部１０の開閉動作に伴って、開口部Ｈから入射する外光の光量分布を変化させ、光量分布の変化の検知結果に基づいて自動原稿送り部１０の開閉動作を検知する。【選択図】図３
2012029193.tif 000002
【特許請求の範囲】
【請求項１】
原稿が載置されるプラテンガラスと、
前記プラテンガラスの上方で開閉可能に設けられ、閉じた状態で原稿を前記プラテンガラスに密着させる原稿カバーと、
前記プラテンガラスに載置された原稿に光を照射する光源と、
原稿から反射した光を受光して原稿の画像情報を読み取る読取部と、
前記原稿カバーの開閉動作に伴って、前記読取部に入射する外光の光量分布を変化させる光量変更部と、
前記読取部に入射する外光の光量分布の変化を検知し、検知結果に基づいて前記原稿カバーの開閉動作を検知する開閉検知部と、
を有することを特徴とする原稿読取装置。
【請求項２】
前記光量変更部は、前記原稿カバーの開閉動作に伴って、外光が入射する入射窓の位置を移動させることにより、前記読取部に入射する外光の光量分布を変化させることを特徴とする請求項１に記載の原稿読取装置。
【請求項３】
前記プラテンガラスの原稿載置位置に入射する外光を前記読取部に導く導光部を有することを特徴とする請求項１又は２に記載の原稿読取装置。
【発明の詳細な説明】
【技術分野】
【０００１】
本発明は、原稿読取装置に関する。
【背景技術】
【０００２】
一般に、複写機のスキャナ等の原稿読取装置は、読み取り対象となる原稿が載置されるプラテンガラスと、載置された原稿をプラテンガラスに密着させる原稿カバーとを備えている。
【０００３】
原稿読取装置において原稿カバーの開閉動作を検知する技術は従来より各種提案されており、例えば特許文献１に記載された技術がある。
【０００４】
特許文献１に記載された技術では、原稿カバーに正反射部を設置して正反射部からの正反射光を画像読取センサで受光し、受光した光量に基づいて原稿カバーの開閉動作を検知している。
【先行技術文献】
【特許文献】
【０００５】
【特許文献１】特開平１０−３２６７９号公報
【発明の概要】
【発明が解決しようとする課題】
【０００６】
特許文献１では原稿読取装置において原稿カバーの開閉動作を検知するために専用の正反射部を設けているが、例えば原稿カバーの開閉動作を検知するために専用の電気部品まで設けてしまうと、専用の電気部品を設けたことに伴って電気回路の構成が複雑になったり、コスト上昇を招いたりする等の問題が発生する恐れがある。
【０００７】
そこで、本発明の目的は、簡易な構成により、原稿カバーの開閉動作を確実に検知することが出来る原稿読取装置を提供することにある。
【課題を解決するための手段】
【０００８】
上記目的を達成するため、本発明に係る原稿読取装置は、
原稿が載置されるプラテンガラスと、
前記プラテンガラスの上方で開閉可能に設けられ、閉じた状態で原稿を前記プラテンガラスに密着させる原稿カバーと、
前記プラテンガラスに載置された原稿に光を照射する光源と、
原稿から反射した光を受光して原稿の画像情報を読み取る読取部と、
前記原稿カバーの開閉動作に伴って、前記読取部に入射する外光の光量分布を変化させる光量変更部と、
前記読取部に入射する外光の光量分布の変化を検知し、検知結果に基づいて前記原稿カバーの開閉動作を検知する開閉検知部と、
を有することを特徴とするものである。
【発明の効果】
【０００９】
本発明に係る原稿読取装置によれば、簡易な構成により、原稿カバーの開閉動作を確実に検知することが出来る。
【図面の簡単な説明】
【００１０】
【図１】画像形成装置の中央断面図である。
【図２】原稿読取装置の中央断面図である。
【図３】原稿読取装置の斜視図である。
【図４】原稿読取装置の制御構成を示すブロック図である。
【図５】原稿読取装置の中央断面図である。
【図６】第１ミラーユニット、開口部、遮蔽部材を図５のａ方向から見た所定箇所の断面図である。
【図７】第１ミラーユニット、開口部、遮蔽部材を図５のａ方向から見た所定箇所の断面図である。
【図８】自動原稿送り部の開閉動作を検知して印刷準備を開始する動作を示すフローチャート図である。
【図９】ライン読取部で読み取られる主走査方向の光量分布図である。
【図１０】プラテンガラス周辺を上方から見た簡易的な説明図である。
【発明を実施するための形態】
【００１１】
［画像形成装置の概要］
図１は、画像形成装置Ｘの中央断面図である。
【００１２】
画像形成装置Ｘは、原稿読取装置ＹＳと画像形成装置本体ＧＨから構成される。画像形成装置本体ＧＨは複数組の画像形成部１０Ｙ、１０Ｍ、１０Ｃ、１０Ｋ、ベルト状の中間転写ベルト５等からなる。
【００１３】
画像形成装置本体ＧＨの上部には、自動原稿送り部１０と読取部２０等から構成される原稿読取装置ＹＳが配置されている。自動原稿送り部１０の原稿台に載置された原稿Ｄは搬送部により搬送され、読取部２０の光学系により原稿Ｄの片面又は両面の画像が走査露光され、ライン読取部に読み込まれる。
【００１４】
ライン読取部により光電変換されて形成された信号は、画像処理部において、アナログ処理、Ａ／Ｄ変換、シェーディング補正、画像圧縮処理等が行われた後、露光部３Ｙ、３Ｍ、３Ｃ、３Ｋに送られる。
【００１５】
イエロー（Ｙ）色の画像を形成する画像形成部１０Ｙは、感光体ドラム１Ｙの周囲に帯電部２Ｙ、露光部３Ｙ、現像部４Ｙ、クリーニング部７Ｙを配置している。画像形成部１０Ｍ、１０Ｃ、１０Ｋは画像形成部１０Ｙとほぼ同様の構成となっている。現像部４Ｙ、４Ｍ、４Ｃ、４Ｋは、イエロー（Ｙ）、マゼンタ（Ｍ）、シアン（Ｃ）及び黒（Ｋ）の小粒径のトナーとキャリアからなる２成分現像剤を内包する。トナーは発色剤となる顔料若しくは染料と、定着後に定着ベルト８１からのトナーの剥離を助けるワックスと、これらを保持するバインダー樹脂とからなる。
【００１６】
中間転写ベルト５は、複数のローラにより巻回され、回動可能に支持されている。
【００１７】
定着部８は、加熱された定着ベルト８１と加圧ローラ８２との間に形成されたニップ部で用紙Ｐのトナー像を加熱・加圧して定着する。
【００１８】
画像形成部１０Ｙ、１０Ｍ、１０Ｃ、１０Ｋより形成された各色の画像は、回動する中間転写ベルト５に転写部６Ｙ、６Ｍ、６Ｃ、６Ｋにより逐次転写されて、カラーのトナー像が形成される。給紙カセットＣＴ内に収容された用紙Ｐは、給紙部９１により給紙され、給紙ローラ９２Ａ、９２Ｂ、９２Ｃ、９２Ｄ、レジストローラ９３等を経て、転写部６Ａに搬送され、用紙Ｐにカラーのトナー像が転写される。カラーのトナー像が転写された用紙Ｐは定着部８において加熱・加圧され、カラーのトナー像が用紙Ｐに定着される。その後、排紙ローラ９４に挟持されて排紙トレイ９５に載置される。
【００１９】
転写部６Ａにより用紙Ｐにカラーのトナー像を転写された後、用紙Ｐを剥離した中間転写ベルト５は、クリーニング部７Ａにより残留したトナーが除去される。
【００２０】
［原稿読取装置の概要］
図２は、原稿読取装置ＹＳの中央断面図であり、図３は原稿読取装置ＹＳの斜視図である。図２、図３に示すように原稿読取装置ＹＳは、自動原稿送り部１０と、読取部２０と、操作部３０から構成される。自動原稿送り部１０は、セットされた原稿Ｄを自動的に読取部２０へ搬送する。読取部２０はプラテンガラス２２に載置された原稿の画像を読み取る。
【００２１】
図３で示すように、自動原稿送り部１０はヒンジ部１９によって読取部２０に取り付けられており、読取部２０に対して開閉可能である。また、自動原稿送り部１０はプラテンガラス２２を覆い、閉じた状態で原稿をプラテンガラス２２に密着させる。すなわち、本実施形態においては、自動原稿送り部１０は、原稿カバーとしての機能を有する。
【００２２】
プラテンガラス２２に１枚の原稿が載置されると、第１ミラーユニット２３の光源２３１から出射された主走査方向（図３のｘ方向）に広がる光が原稿に対して照射される。光源２３１は主走査方向に複数設置された発光ダイオードから構成されている。原稿から反射した光は、第１ミラーユニット２３、第２ミラーユニット２４、結像レンズ２５を通過し、ライン読取部（受光部）２６に結像される。
【００２３】
ライン読取部２６は、原稿の画像を読み取るものである。ライン読取部２６は、１画素毎に光電変換する複数の撮像素子を主走査方向に一次元状に並べて配置させたラインセンサで構成され、主走査方向の１ライン単位で原稿の画像を読み取る。
【００２４】
光源２３１を有する第１ミラーユニット２３は、主走査方向と直交する副走査方向（ｙ方向）に移動するとともに、第２ミラーユニット２４は第１ミラーユニットの移動速度の１／２の移動速度で同方向に移動する。したがって、プラテンガラス２２上の原稿に対して、第１ミラーユニット２３と第２ミラーユニット２４が副走査方向に移動することにより、読み取り面を副走査方向に移動できる。読み取り面を副走査方向に順次移動させることにより原稿の全面を走査することができ、原稿から反射した光を順次ライン読取部２６によって読み取り、原稿１枚分の画像を読み取ることができる。
【００２５】
自動原稿送り部１０は、原稿載置台１１に載置された複数枚の原稿Ｄを、分離ローラ１２によって１枚ずつ搬送路に送り出し、複数のガイド部材と複数のローラからなる原稿搬送部１３によって搬送し、原稿排紙台１５に排紙する。自動原稿送り部１０によって搬送される原稿Ｄの画像は、搬送路中の原稿画像読取位置２１にて読取部２０により読み取られる。すなわち原稿を移動することにより読み取り面を副走査方向に移動できる。
【００２６】
原稿の両面の画像を読み取る場合は、一対のローラと搬送路切り換えガイドとからなる原稿反転部１６によって、表面の画像が読み取られた原稿Ｄが反転され、再度、原稿搬送部１３に搬送される。裏面の画像が読み取られた原稿は、原稿排紙台１５に排紙される。このように、原稿読取装置ＹＳにおいては、直にプラテンガラス２２に載置した原稿を読み取るだけでなく、自動原稿送り部１０によって搬送される原稿を読み取ることができる。
【００２７】
図３で示すように読取部２０における手前側には操作部３０が設置されており、原稿読取装置ＹＳにおける読取動作の内容を設定することが出来る。操作部３０はタッチパネル形式となっており、原稿読取装置ＹＳで実行している読取動作の状況を表示することも出来る。
【００２８】
図４は、原稿読取装置ＹＳの制御構成を示すブロック図であり、代表的な制御構成のみ示す。
【００２９】
原稿読取装置ＹＳにおける記憶部１０１、開閉検知部１０２等の各部の動作は、制御部１００が制御する。
【００３０】
制御部１００は、主にＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等により構成され、ＲＯＭに格納されている各種制御プログラムを読み出してＲＡＭに展開し、各部の動作を制御する。
【００３１】
記憶部１０１は、原稿読取装置ＹＳにおける各種の情報を保存するものであり、制御部１００が各部の動作を制御する際に、記憶部１０１に記憶された情報が参照される。
【００３２】
開閉検知部１０２は、自動原稿送り部１０の開閉状態及び開閉動作を検知するものであり、開閉検知部１０２が行う検知動作については後述する。
【００３３】
第１ミラーユニット２３、光源２３１、第２ミラーユニット２４、ライン読取部２６は制御部１００により動作が制御され、前述したようにプラテンガラス２２に載置された原稿等に対して読取動作が行われる。
【００３４】
［自動原稿送り部の開閉状態及び開閉動作検知］
図１に示す画像形成装置Ｘでは、原稿読取装置ＹＳにおいて自動原稿送り部１０が開いた状態から閉じた状態に変化する動作を検知している。自動原稿送り部１０が開いた状態から閉じた状態に変化すると、ユーザーによってプラテンガラス２２に原稿が載置されたものとみなして露光部３Ｙ、３Ｍ、３Ｃ、３Ｋに設置されたポリゴンミラー（不図示）の回転を開始する等の印刷準備動作を行い、ファーストコピータイムの短縮を図っている。
【００３５】
まず、自動原稿送り部１０の開閉状態及び開閉動作を検知するための構造を図５〜図７を用いて説明する。
【００３６】
画像形成装置Ｘにおいて印刷動作が停止している時、第１ミラーユニット２３は図５に示すホームポジションに位置している。
【００３７】
図５に示す状態において、第１ミラーユニット２３の上方には、原稿読取装置ＹＳの外壁に設置された開口部Ｈ（図３参照）と、遮蔽部材（光量変更部）２７が位置している。遮蔽部材２７は、自動原稿送り部１０の開閉動作に伴って図５における紙面手前側と紙面奥側に移動するようになっている。
【００３８】
図６、図７は、開口部Ｈ、遮蔽部材２７、第１ミラーユニット２３を図５のａ方向から見た所定箇所の断面図である。図６における遮蔽部材２７の位置は、自動原稿送り部１０が閉じた状態のときの位置であり、図７における遮蔽部材２７の位置は、自動原稿送り部１０が完全に開いた状態のときの位置である。
【００３９】
図６、図７でも示すように、原稿読取装置ＹＳの外壁ＹＳ１には開口部Ｈが設置されている。開口部Ｈの下方には遮蔽部材２７が設置されており、大半の外光Ｒが遮蔽部材２７によって遮蔽され、第１ミラーユニット２３に入射することはない。しかし、遮蔽部材２７の一部に入射窓２７Ａが設置されているため、開口部Ｈから入射した外光Ｒの一部は入射窓２７Ａを通過して第１ミラーユニット２３に入射し、外光Ｒがライン読取部２６（図５等参照）によって読み取られる。
【００４０】
図６、図７では示していないが、遮蔽部材２７は自動原稿送り部１０と機械的に連結されている。自動原稿送り部１０が閉じた状態では遮蔽部材２７は図６に示す位置にあるが、自動原稿送り部１０が開くと自動原稿送り部１０の開く動作に連動して遮蔽部材２７が図６の矢印ｂ方向に移動する。その結果、自動原稿送り部１０が完全に開いた状態のときに、遮蔽部材２７は図７に示す位置となる。
【００４１】
自動原稿送り部１０の開閉動作に連動して遮蔽部材２７が移動すると、遮蔽部材２７に設置された入射窓２７Ａの位置も移動するため、第１ミラーユニット２３に入射する外光Ｒの位置が変化する。その結果、ライン読取部２６において読み取られる外光Ｒの位置も変化し、ライン読取部２６における主走査方向の光量分布が変化することになる。この光量分布の変化に基づいて開閉検知部１０２により自動原稿送り部１０の開閉状態及び開閉動作を検知する。
【００４２】
次に、図５〜図７で示した原稿読取装置ＹＳの構造を用いて自動原稿送り部１０の開閉状態及び開閉動作を検知し、印刷準備を開始する動作について詳しく説明する。
【００４３】
図８は、自動原稿送り部１０の開閉状態及び開閉動作を検知して印刷準備を開始する動作を示すフローチャート図である。
【００４４】
まず、自動原稿送り部１０の開閉状態及び開閉動作を検知するため、図５に示すように第１ミラーユニット２３をホームポジションにセットした状態で、ライン読取部２６により外光を読み取る動作を実行する（ステップＳ１）。
【００４５】
ステップＳ１において、ライン読取部２６では主走査方向における１ライン分が読み取られるわけであるが、ライン読取部２６において遮蔽部材２７の入射窓２７Ａに相当する位置では、外光Ｒが入射するため、ライン読取部２６で読み取られる光量の値が大きい。一方、他の位置では外光が入射しないため、ライン読取部２６で読み取られる光量の値が小さい。従って、ライン読取部２６で読み取られる主走査方向の光量分布は、例えば図９に示すようになる（図９において、縦軸はライン読取部２６の光量値を示し、横軸は主走査方向における位置を示す）。
【００４６】
そこで、ステップＳ２では、ライン読取部２６で読み取られる１ライン分の値のうち、最大光量値と最小光量値との中間の値に相当する主走査方向の位置Ｔ（図９参照）を特定する（２つの位置Ｔのうちどちらか一方の位置を特定しても良い）。特定された位置Ｔは、ライン読取部２６で読み取られる主走査方向の光量分布を代表するものであり、自動原稿送り部１０の開閉動作に連動する遮蔽部材２７の移動に伴って変化するものである。
【００４７】
原稿読取装置ＹＳ内の記憶部１０１には、最大光量値と最小光量値との中間の値に相当する主走査方向の位置Ｔと、自動原稿送り部１０の開閉位置との関係がデータテーブルとして記憶されている。ステップＳ３では、記憶部１０１に記憶されているデータテーブルを参照して、ステップＳ２における特定された位置Ｔに基づき、自動原稿送り部１０の開閉位置を判断する（つまり、位置Ｔに代表される光量分布の変化に基づいて自動原稿送り部１０の開閉位置を判断する）。なお、ステップＳ３における動作は、図３で示した開閉検知部１０２により行われる。
【００４８】
ステップＳ３において、自動原稿送り部１０が閉まっていると判断すると（ステップＳ３；Ｙｅｓ）、自動原稿送り部１０が「閉」として記憶部１０１に履歴保存される（ステップＳ４）。
【００４９】
一方、自動原稿送り部１０が閉まっていないと判断すると（ステップＳ３；Ｎｏ）、自動原稿送り部１０が完全に開いているか否か判断する（ステップＳ６）。完全に開いていると判断した場合は、自動原稿送り部１０が「開」として記憶部１０１に履歴保存され（ステップＳ７）、ステップＳ１からＳ３の動作を繰り返す。自動原稿送り部１０が中途半端に開いている状態では（ステップＳ６；Ｎｏ）、記憶部１０１に何ら履歴保存されず、ステップＳ１からステップＳ３の動作を繰り返す。
【００５０】
ステップＳ４において自動原稿送り部１０が閉じていると保存されると、開閉検知部１０２が記憶部１０１に記憶されている履歴情報を参照し、直前の履歴が「自動原稿送り部１０が開いている」というものであれば、自動原稿送り部１０が開から閉に変更されたと判断し（ステップＳ５；Ｙｅｓ）、プラテンガラス２２に原稿が載置されたものとして、例えば露光部３Ｙ、３Ｍ、３Ｃ、３Ｋに設置されたポリゴンミラーの回転を開始する等の印刷準備動作を開始する（ステップＳ８）。その結果、ユーザーが画像形成装置Ｘのスタート釦を押したときには、ポリゴンミラーが定常回転になっているため、印刷動作をすぐに開始でき、ファーストコピータイムを短縮することが出来る。
【００５１】
以上、説明したように、自動原稿送り部１０の開閉動作に連動する遮蔽部材２７を利用してライン読取部２６に入射する外光の光量分布を変化させ、光量分布の変化の検知結果に基づいて自動原稿送り部の開閉状態及び開閉動作を検知すれば、専用の電気部品を設けることなく、簡易な構成で、自動原稿送り部１０が開いた状態と閉じた状態を明確に区別して判断することが出来る。その結果、例えば、図８に示すように、開閉動作の検知結果を利用して印刷準備の動作を開始し、ファーストコピータイムの短縮を図ることが出来る。
【００５２】
図８の動作では、自動原稿送り部１０の開閉状態及び開閉動作を検知して印刷準備を開始しているが、自動原稿送り部１０の開閉状態及び開閉動作を検知するとともに、プラテンガラス２２に原稿が載置されたことを直接検知して印刷準備を開始してもよい。プラテンガラス２２に原稿が載置されたことを直接検知する構造について図１０を用いて説明する。
【００５３】
図１０は、プラテンガラス２２周辺を上方から見た簡易的な説明図である。
【００５４】
プラテンガラス２２の下方には、プラテンガラスに入射する外光を第１ミラーユニット２３やライン読取部２６に導く導光部２８が設置されている。プラテンガラス２２に原稿Ｄが載置されていないとプラテンガラス２２から入射した外光が導光部２８により第１ミラーユニット等に導かれるが、プラテンガラス２２に原稿Ｄが載置されると、原稿Ｄにより外光が遮断され、外光が導光部２８により第１ミラーユニットに導かれない。この差を用いてプラテンガラス２２に原稿Ｄが載置されたことを直接検知する。
【００５５】
図８で示した動作に追加してプラテンガラス２２に原稿が載置されたか否かを直接検知し、自動原稿送り部１０が開から閉に変更された場合とともにプラテンガラス２２に原稿が載置された場合にも、例えば、露光部３Ｙ、３Ｍ、３Ｃ、３Ｋに設置されたポリゴンミラー（不図示）の回転を開始する等の印刷準備動作を行えば、ファーストコピータイムの短縮を図ることが出来る。
【００５６】
以上、図１〜図１０を用いて本発明を説明したが、本発明は当該実施形態に限定されるものではなく、本発明の要旨を逸脱しない範囲における変更や追加があっても本発明に含まれる。
【符号の説明】
【００５７】
Ｘ  画像形成装置
ＹＳ  原稿読取装置
１０  自動原稿送り部
２０  読取部
２２  プラテンガラス
２６  ライン読取部
２７  遮蔽部材
２７Ａ  入射窓
２８  導光部
Ｈ  開口部
１００  制御部
１０１  記憶部
１０２  開閉検知部
２３１  光源
【図１】
2012029193.tif 000003
【図２】
2012029193.tif 000004
【図３】
2012029193.tif 000005
【図４】
2012029193.tif 000006
【図５】
2012029193.tif 000007
【図６】
2012029193.tif 000008
【図７】
2012029193.tif 000009
【図８】
2012029193.tif 000010
【図９】
2012029193.tif 000011
【図１０】
2012029193.tif 000012